Podtech/llm-jp-corpus-v4-ja_patent huggingface dataset:
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
情報処理装置を、
サーバで実行可能なプログラムを生成するための定義情報であって、前記プログラムが実行されることにより生成される画面情報に含まれる画面項目に係る定義情報を用いて、前記画面情報を生成するためのプログラムを生成するプログラム生成手段と、
前記プログラムが実行されることにより生成される画面情報に対応するプレビュー画面を、前記定義情報のうち前記画面項目の表示に係る定義情報を用いて生成するプレビュー画面生成手段
として機能させるためのプログラム。
【請求項２】
前記定義情報のうち前記画面項目の表示に係る定義情報を抽出する表示定義情報抽出手段と、
を有し、
前記プレビュー画面生成手段は、前記プレビュー画面を、前記定義情報を用いて生成させることを特徴とする請求項１に記載のプログラム。
【請求項３】
前記表示定義情報抽出手段は、前記定義情報のデータ種別を抽出し、
前記プレビュー画面生成手段は、前記表示定義情報抽出手段により抽出されたデータ種別に基づいたオブジェクトを配置すること
を特徴とする請求項２に記載のプログラム。
【請求項４】
前記定義情報は、ユーザからの入力に従って変更可能であって、
前記プレビュー画面生成手段は、
前記ユーザからの入力に従って変更された定義情報を用いて、前記プレビュー画面を生成すること
を特徴とする請求項１乃至３に記載のプログラム。
【請求項５】
前記プレビュー画面に含まれる画面項目に対して設定する値を記憶する値記憶手段
として更に機能させ、
前記プレビュー画面生成手段は、
前記値記憶手段により記憶されている値が設定された前記画面項目を含む前記プレビュー画面を生成すること
を特徴とする請求項１乃至４のいずれか１項に記載のプログラム。
【請求項６】
前記プレビュー画面生成手段は、
前記値記憶手段に記憶されている値に基づき、前記値記憶手段に記憶されている値を設定する画面項目に対しては、前記値記憶手段に記憶されている当該画面項目に対応する値を設定し、一方、前記値記憶手段に記憶されている値を設定しない画面項目に対しては、当該画面項目に対応するデフォルト値を設定し、プレビュー画面を生成すること
を特徴とする請求項５に記載のプログラム。
【請求項７】
前記プレビュー画面生成手段により生成されるプレビュー画面を閲覧するエンドユーザのロール又は表示言語の少なくともいずれか１つに応じて表示する項目を制御するプレビュー画面制御手段
として更に機能させ、
前記値記憶手段は、エンドユーザのロール又は表示言語の少なくともいずれか１つを記憶し、
前記プレビュー画面生成手段は、
前記値記憶手段により記憶されているエンドユーザのロール又は表示言語の少なくともいずれか１つを用いて、前記プレビュー画面制御手段に応じて項目の表示を制御したプレビュー画面を生成すること
を特徴とする請求項５又は６のいずれか１項に記載のプログラム。
【請求項８】
情報処理装置が、
サーバで実行可能なプログラムを生成するための定義情報であって、前記プログラムが実行されることにより生成される画面情報に含まれる画面項目に係る定義情報を用いて、前記画面情報を生成するためのプログラムを生成するプログラム生成ステップと、
前記プログラムが実行されることにより生成される画面情報に対応するプレビュー画面を、前記定義情報のうち前記画面項目の表示に係る定義情報を用いて生成するプレビュー画面生成ステップと、
を実行することを特徴とする処理方法。
【請求項９】
サーバで実行可能なプログラムを生成するための定義情報であって、前記プログラムが実行されることにより生成される画面情報に含まれる画面項目に係る定義情報を用いて、前記画面情報を生成するためのプログラムを生成するプログラム生成手段と、
前記プログラムが実行されることにより生成される画面情報に対応するプレビュー画面を、前記定義情報のうち前記画面項目の表示に係る定義情報を用いて生成するプレビュー画面生成手段と、
を備えることを特徴とする情報処理装置。
【手続補正２】
【補正対象書類名】明細書
【補正対象項目名】０００９
【補正方法】変更
【補正の内容】
【０００９】
本発明の目的は、上記の問題に鑑み、画面項目の表示に係る定義情報を用いてプレビュー画面を生成してアプリケーションの開発効率を向上させることが可能なプログラム自動生成装置の技術を提供することである。
【手続補正３】
【補正対象書類名】明細書
【補正対象項目名】００１０
【補正方法】変更
【補正の内容】
【００１０】
本発明は、情報処理装置を、サーバで実行可能なプログラムを生成するための定義情報であって、前記プログラムが実行されることにより生成される画面情報に含まれる画面項目に係る定義情報を用いて、前記画面情報を生成するためのプログラムを生成するプログラム生成手段と、前記プログラムが実行されることにより生成される画面情報に対応するプレビュー画面を、前記定義情報のうち前記画面項目の表示に係る定義情報を用いて生成するプレビュー画面生成手段として機能させることを特徴とする。
【手続補正４】
【補正対象書類名】明細書
【補正対象項目名】００１１
【補正方法】変更
【補正の内容】
【００１１】
本発明により、画面項目の表示に係る定義情報を用いてプレビュー画面を生成してアプリケーションの開発効率を向上させることが可能となる。
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
巻回部を有するコイルと、
前記巻回部の内部に配置される内側コア部、及び前記巻回部の外部に配置される外側コア部を有する磁性コアと、を備えるリアクトルであって、
前記外側コア部の外周面の少なくとも一部を覆う樹脂モールド部を備え、
前記外側コア部は、
軟磁性粉末と樹脂とを含む複合材料で構成される樹脂コア部と、
前記樹脂コア部を貫通する第一貫通孔と、を備え、
前記第一貫通孔の一端と他端はそれぞれ、前記外側コア部における前記コイルに対向するコイル対向面以外の面に開口し、かつ前記樹脂モールド部は前記第一貫通孔の内部に入り込んでいる、
リアクトル。
【請求項２】
前記第一貫通孔は、その一端と他端がそれぞれ前記外側コア部の上面と下面に開口する直線状の孔である請求項１に記載のリアクトル。
【請求項３】
前記内側コア部と前記外側コア部とが接合される接合面を備え、
前記内側コア部は、軟磁性粉末と樹脂とを含む複合材料で構成され、かつ前記接合面側の部分を前記巻回部の軸方向に直交する方向に貫通する第二貫通孔を備え、
前記磁性コアは、前記第一貫通孔の開口から前記第二貫通孔の開口に繋がる流路溝を備え、
前記樹脂モールド部が、前記流路溝を介して前記第二貫通孔にも入り込んでいる請求項１又は請求項２に記載のリアクトル。
【請求項４】
前記樹脂モールド部は、前記巻回部の軸方向の端部を覆い、中間部を覆うことなく外部に露出させるように形成されている請求項１から請求項３のいずれか１項に記載のリアクトル。
【請求項５】
前記外側コア部は、軟磁性粉末を含む圧粉成形体と、その外周を覆う前記樹脂コア部と、を備える請求項１から請求項４のいずれか１項に記載のリアクトル。
【請求項６】
前記複合材料の比透磁率は、５以上５０以下である請求項１から請求項５のいずれか１項に記載のリアクトル。
【請求項７】
前記複合材料の比透磁率は、５以上５０以下、
前記圧粉成形体の比透磁率は、５０以上５００以下で、かつ前記複合材料の比透磁率よりも高い請求項５に記載のリアクトル。
【手続補正２】
【補正対象書類名】明細書
【補正対象項目名】００１８
【補正方法】変更
【補正の内容】
【００１８】
＜５＞実施形態に係るリアクトルの一形態として、
前記外側コア部は、軟磁性粉末を含む圧粉成形体と、その外周を覆う前記樹脂コア部と、を備える形態を挙げることができる。
【手続補正３】
【補正対象書類名】明細書
【補正対象項目名】００３４
【補正方法】変更
【補正の内容】
【００３４】
内側コア部３１の形状は、巻回部２Ａ（２Ｂ）の内部形状に沿った形状であれば特に限定されない。本例の内側コア部３１は、略直方体状である。また、本例の内側コア部３１は、非分割構造の一体物であるが、複数の分割片を組み合わせて構成することもできる。内側コア部３１は、軟磁性粉末と未硬化の樹脂とを含む混合物を硬化させた複合材料の成形体で構成することもできるし、軟磁性粉末を含む原料粉末を加圧成形してなる圧粉成形体で構成することもできる。本例の内側コア部３１は、複合材料の成形体で構成されている。
【手続補正４】
【補正対象書類名】明細書
【補正対象項目名】００４２
【補正方法】変更
【補正の内容】
【００４２】
複合材料中の軟磁性粉末の含有量は、３０体積％以上８０体積％以下であることが挙げられる。飽和磁束密度や放熱性の向上の観点から、軟磁性粉末の含有量は更に、５０体積％以上、６０体積％以上、７０体積％以上とすることができる。製造過程での流動性の向上の観点から、軟磁性粉末の含有量を７５体積％以下とすることが好ましい。
【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
複数の端子収容室と、
前記複数の前記端子収容室の各々に連通するように設けられ、前記端子収容室に収容される端子が収容前に通過することになる、端子挿入孔と、
前記複数の前記端子収容室の各々に設けられ、前記端子の収容途中に前記端子から離れる向きに弾性変形し且つ前記端子の収容完了時に前記端子に近付く向きに弾性回復して前記端子を係止する、係止部と、
前記複数の前記端子収容室のうちの隣り合う一対の前記端子収容室に設けられた一対の前記係止部を繋ぐ連結部と、
を備える、コネクタハウジングであって、
前記連結部は、
前記一対の前記端子収容室に対応する一対の前記端子挿入孔を隔てる第１隔壁に繋がり、前記端子の収容方向に沿って延びる溝を有する、
コネクタハウジング。
【請求項２】
請求項１に記載のコネクタハウジングにおいて、
前記連結部は、
前記一対の前記端子収容室を隔てる第２隔壁に連結されている、
コネクタハウジング。
【請求項３】
請求項１又は請求項２に記載のコネクタハウジングにおいて、
前記溝は、
前記一対の前記端子収容室の並び方向において、前記連結部の中央に配置される、
コネクタハウジング。
【請求項４】
請求項１〜請求項３の何れか一項に記載のコネクタハウジングにおいて、
前記連結部は、
前記係止部による前記端子の係止を解除するための治具が当接されるように構成される、
コネクタハウジング。
【手続補正２】
【補正対象書類名】明細書
【補正対象項目名】０００６
【補正方法】変更
【補正の内容】
【０００６】
前述した目的を達成するために、本発明に係るコネクタハウジングは、下記［１］〜［４］を特徴としている。
［１］
複数の端子収容室と、
前記複数の前記端子収容室の各々に連通するように設けられ、前記端子収容室に収容される端子が収容前に通過することになる、端子挿入孔と、
前記複数の前記端子収容室の各々に設けられ、前記端子の収容途中に前記端子から離れる向きに弾性変形し且つ前記端子の収容完了時に前記端子に近付く向きに弾性回復して前記端子を係止する、係止部と、
前記複数の前記端子収容室のうちの隣り合う一対の前記端子収容室に設けられた一対の前記係止部を繋ぐ連結部と、
を備える、コネクタハウジングであって、
前記連結部は、
前記一対の前記端子収容室に対応する一対の前記端子挿入孔を隔てる第１隔壁に繋がり、前記端子の収容方向に沿って延びる溝を有する、
コネクタハウジングであること。
［２］
上記［１］に記載のコネクタハウジングにおいて、
前記連結部は、
前記一対の前記端子収容室を隔てる第２隔壁に連結されている、
コネクタハウジングであること。
［３］
上記［１］又は上記［２］に記載のコネクタハウジングにおいて、
前記溝は、
前記一対の前記端子収容室の並び方向において、前記連結部の中央に配置される、
コネクタハウジングであること。
［４］
上記［１］〜上記［３］の何れか一つに記載のコネクタハウジングにおいて、
前記連結部は、
前記係止部による前記端子の係止を解除するための治具が当接されるように構成される、
コネクタハウジングであること。
【手続補正３】
【補正対象書類名】明細書
【補正対象項目名】０００７
【補正方法】変更
【補正の内容】
【０００７】
上記［１］の構成のコネクタハウジングは、隣り合う一対の端子収容室に設けられた一対の係止部（例えば、ランス）が、連結部によって連結されている。更に、その連結部が、端子収容室に連通する端子挿入孔の隔壁（第１隔壁）に繋がっている。そのため、一対の係止部が互いに独立している場合に比べ、各々の係止部の強度や剛性などが高まるため、各々の係止部による係止力を高めることができる。更に、その連結部が端子の収容方向に沿って延びる溝を有している。この溝の働きにより、例えば、双方の端子収容室に端子が収容されている場合において、一方の端子だけを取り外すために一方の係止部だけに係止解除のための外力を及ぼしたとき、溝が湾曲することで、その外力が他方の係止部に伝達し難くなる。よって、一方の端子を取り外す過程で意図せず他方の端子が所定の係止位置から変位する（位置ズレする）等の不具合が生じることを、抑制できる。
【手続補正４】
【補正対象書類名】明細書
【補正対象項目名】００１０
【補正方法】変更
【補正の内容】
【００１０】
上記［３］の構成のコネクタハウジングによれば、一対の端子収容室の並び方向における連結部の中央に溝が設けられることで、一対の係止部の各々による係止力を均一にしながら、意図しない連動を抑制する効果を偏りなく発揮することができる。
上記［４］の構成のコネクタハウジングによれば、連結部に治具を当接させて連結部を変形させることで、一対の係止部による係止をひとまとめに解除することができる。
【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
基板を処理する処理室と、
処理室の下方に連通し、前記処理室内に配置される基板支持具に前記基板を移載する移載空間と、
前記移載空間の下方に連通し、前記基板支持具と前記基板を加熱する加熱空間と、
を有する基板処理装置。
【請求項２】
前記加熱空間に設けられ、前記基板を加熱する第１の加熱部を有する
請求項１に記載の基板処理装置。
【請求項３】
前記移載空間の前記基板の面に対して垂直方向の長さは、前記加熱空間の前記基板の面に対して垂直方向の長さよりも短く構成される
請求項１又は２に記載の基板処理装置。
【請求項４】
前記加熱空間の前記基板の面に対して垂直方向の長さは、少なくとも、前記基板支持具の前記基板を載置する領域の長さとなる様に構成される
請求項１乃至３のいずれか一項に記載の基板処理装置。
【請求項５】
前記基板支持具を昇降させる昇降機構を有し、
前記基板支持具の下降と、処理後の基板と処理前の基板との入れ替えを交互に行い、載置された前記処理前の基板を、順次、前記加熱空間で加熱する様に、前記第１の加熱部と、前記昇降機構とを制御可能に構成された制御部と、
を有する請求項２に記載の基板処理装置。
【請求項６】
前記基板支持具を昇降させる昇降機構を有し、
前記基板支持具の下降と、複数の処理後の基板と複数の処理前の基板との入れ替えを交互に行い、載置された前記複数の処理前の基板を一括で加熱する様に、前記第１の加熱部と、前記昇降機構とを制御可能に構成された制御部と、
を有する請求項２に記載の基板処理装置。
【請求項７】
前記基板支持具を昇降させる昇降機構と、前記処理室を加熱し、複数のゾーンを有するヒータと、を有し、
前記基板支持具を下降させた時に、前記ヒータの前記複数のゾーンの内、下部のゾーンに設けられたヒータの制御を切り替える様に前記昇降機構と前記ヒータを制御可能に構成された制御部と、
を有する請求項２乃至４のいずれか一項に記載の基板処理装置。
【請求項８】
前記制御部は、前記基板支持具を下降させた時に、前記ヒータの前記複数のゾーンの内、下部のゾーンに設けられたヒータへの電力を固定又は減少させるように前記ヒータを制御可能に構成される
請求項７に記載の基板処理装置。
【請求項９】
前記基板支持具を回転させる回転機構と、
前記基板支持具への前記基板の入れ替え終了後、前記基板支持具の回転を始める様に前記回転機構を制御可能に構成される制御部と、
を有する請求項２乃至４のいずれか一項に記載の基板処理装置。
【請求項１０】
前記移載空間には、前記基板支持具の上部側を加熱する第２の加熱部を有する
請求項２に記載の基板処理装置。
【請求項１１】
前記基板支持具への前記基板の入れ替え終了後に、前記第１の加熱部と前記第２の加熱部とをONにするよう制御可能に構成された制御部と、
を有する請求項１０に記載の基板処理装置。
【請求項１２】
前記移載空間と前記加熱空間と前記処理室は連通し、それぞれの空間を真空排気する排気部と、
を有する請求項１乃至１１のいずれか一項に記載の基板処理装置。
【請求項１３】
前記加熱空間の壁に設けられたＳｉＣ部材と、
を有する請求項１乃至１２のいずれか一項に記載の基板処理装置。
【請求項１４】
前記加熱空間は、冷却部を有する
請求項１乃至１３のいずれか一項に記載の基板処理装置。
【請求項１５】
（ａ）処理室の下方に連通する移載空間で、前記処理室内に配置される基板支持具に基板を移載する工程と、
（ｂ）前記移載空間の下方に連通する加熱空間で前記基板を加熱する工程と、
（ｃ）前記（ｂ）の後、前記基板を前記処理室に移動させて処理する工程と、を有する半導体装置の製造方法。
【請求項１６】
（ａ）処理室の下方に連通する移載空間で、前記処理室内に配置される基板支持具に基板を移載させる手順と、
（ｂ）前記移載空間の下方に連通する加熱空間で前記基板を加熱させる手順と、
（ｃ）前記（ｂ）の後、前記基板を前記処理室に移動させて処理させる手順と、をコンピュータによって基板処理装置に実行させる基板処理プログラム。
【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
複数の基板を処理する反応管と、
前記複数の基板を多段に積載して支持する基板支持部と、
すくなくとも前記基板支持部に支持されている下端の基板の高さ位置から上端の基板の高さ位置にわたり、かつ、前記反応管の内壁に沿って設けられ、処理ガスをプラズマにより活性化するバッファ室と、
前記反応管側面を貫通して前記バッファ室の下部から上部に挿入され、電源により高周波電力が印加されることによって、前記バッファ室の内部で前記処理ガスを活性化させるプラズマ発生用の電極と、
を有する基板処理装置。
【請求項２】
前記バッファ室には、活性化された前記処理ガスを、前記反応管の中心に対して供給するガス供給孔が設けられている請求項１に記載の基板処理装置。
【請求項３】
前記電極は、２７ＭＨｚの高周波電源に接続される第１棒状電極と、基準電位に接続される第２棒状電極と、を有し、
前記第１棒状電極と前記第２棒状電極とが交互に配置される請求項１に記載の基板処理装置。
【請求項４】
前記電極は、２７ＭＨｚの高周波電源に接続される複数の第１棒状電極と、前記複数の第１棒状電極の間に、基準電位に接続される第２棒状電極と、を備える請求項１に記載の基板処理装置。
【請求項５】
前記基板支持部を支持する多段で構成される断熱板と、
前記電極に２７ＭＨｚの高周波電源を印加する高周波電源と、を備え、
前記高周波電源が前記高周波電源を印加することにより、前記バッファ室の下部の定在波発生領域においてプラズマを発生させないように、前記バッファ室は、前記基板支持部に支持されている下端の基板の高さ位置から上端の基板の高さ位置にわたり、かつ、前記反応管の内壁に沿って設けられ、前記バッファ室の底面を、前記断熱板の上端の位置とする請求項１に記載の基板処置装置。
【請求項６】
前記電極を覆うことで前記電極を保護する電極保護管を備え、
前記電極保護管を前記反応管の側面を貫通して前記バッファ室の下部から挿入する請求項１に記載の基板処理装置。
【請求項７】
前記電極保護管は、前記反応管の内壁側の位置が外壁側の位置よりも高くなるように反応管の側面を貫通する請求項６に記載の基板処理装置。
【請求項８】
前記電極は、前記反応管の側面を貫通して前記バッファ室の下部から挿入される電極保護管に挿入される請求項６に記載の基板処理装置。
【請求項９】
前記反応管の側面を貫通して前記バッファ室の底面から挿入する前記処理ガスを前記バッファ室内に供給するガス供給部を備える請求項１に記載の基板処理装置。
【請求項１０】
前記バッファ室内に前記処理ガスを供給するノズルを備え、
前記ノズルは、反応管の側面を貫通して前記バッファ室の底面から挿入する請求項１に記載の基板処理装置。
【請求項１１】
前記電極を覆うことで前記電極を保護する電極保護管を備え、
前記電極保護管を前記反応管の側面を貫通して前記バッファ室の底面から挿入する請求項１に記載の基板処理装置。
【請求項１２】
前記処理ガスは、窒素含有ガスである請求項１に記載の基板処理装置。
【請求項１３】
複数の基板を処理する反応管と、前記複数の基板を多段に積載して支持する基板支持部と、少なくとも前記基板支持部に支持されている下端の基板の高さ位置から上端の基板の高さ位置にわたり、かつ、前記反応管の内壁に沿って設けられ、処理ガスをプラズマにより活性化するバッファ室と、前記反応管側面を貫通して前記バッファ室の下部から上部に挿入され、電源により高周波電力が印加されることによって、前記バッファ室の内部で前記処理ガスを活性化させるプラズマ発生用の電極と、を有する基板処理装置の前記反応管に前記基板を搬入する工程と、
前記バッファ室内に前記処理ガスを供給する工程と、
前記バッファ室内に供給された前記処理ガスをプラズマにより活性化する工程と、
前記プラズマにより活性化された前記処理ガスを前記基板に対して供給する工程と、
を有する半導体装置の製造方法。
【請求項１４】
複数の基板を処理する反応管と、前記複数の基板を多段に積載して支持する基板支持部と、少なくとも前記基板支持部に支持されている下端の基板の高さ位置から上端の基板の高さ位置にわたり、かつ、前記反応管の内壁に沿って設けられ、処理ガスをプラズマにより活性化するバッファ室と、前記反応管側面を貫通して前記バッファ室の下部から上部に挿入され、電源により高周波電力が印加されることによって、前記バッファ室の内部で前記処理ガスを活性化させるプラズマ発生用の電極と、を有する基板処理装置の前記反応管に前記基板を搬入する手順と、
前記バッファ室内に前記処理ガスを供給する手順と、
前記バッファ室内に供給された前記処理ガスをプラズマにより活性化する手順と、
前記プラズマにより活性化された前記処理ガスを前記基板に対して供給する手順と、
をコンピュータによって前記基板処理装置に実行させるプログラム。
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
端末装置を、
他ユーザと送受信した情報であって、コンテンツを再生するためのオブジェクトを含む前記情報を時系列で示すチャット画面を表示する手段と、
ユーザが前記チャット画面に表示された前記オブジェクトを指示したことに応じて、前記チャット画面とは別の画面を表示させることなく、前記コンテンツを前記端末装置で再生する手段と、
して機能させるためのプログラム。
【請求項２】
端末装置を、
他ユーザと送受信した情報であって、コンテンツを再生するためのオブジェクトを含む前記情報を時系列で示すチャット画面を表示する手段と、
ユーザが前記チャット画面に表示された前記オブジェクトを指示したことに応じて、前記オブジェクトの表示態様を変化させて、前記コンテンツを前記端末装置で再生する手段と、
して機能させるためのプログラム。
【請求項３】
前記再生する手段は、前記オブジェクトの表示態様以外を変化させることなく、コンテンツを再生する、
ことを特徴とする請求項２に記載のプログラム。
【請求項４】
前記表示する手段は、前記オブジェクトを、前記コンテンツに関する画像を含んで前記チャット画面に表示する、
ことを特徴とする請求項１〜３のいずれか一項に記載のプログラム。
【請求項５】
前記表示する手段は、前記オブジェクトを、前記コンテンツを再生させるプレイボタンを含んで前記チャット画面に表示し、
前記再生する手段は、前記ユーザの前記プレイボタンへの指示に応じて前記コンテンツを再生する、
ことを特徴とする請求項１〜４のいずれか一項に記載のプログラム。
【請求項６】
前記再生する手段は、前記コンテンツの再生を指示した前記ユーザの権限に基づいて、前記コンテンツの再生を、第１の方法と第２の方法とで切り替える、
ことを特徴とする請求項１〜５のいずれか一項に記載のプログラム。
【請求項７】
前記再生する手段は、前記端末装置が前記コンテンツの再生に対応するコンテンツ再生機能を備えているか否かを判定し、備えていると判定した場合に、前記コンテンツの再生を指示した前記ユーザの権限に基づいて、前記コンテンツの再生を、第１の方法と第２の方法とで切り替える、
ことを特徴とする請求項１〜６のいずれか一項に記載のプログラム。
【請求項８】
端末装置であって、
他ユーザと送受信した情報であって、コンテンツを再生するためのオブジェクトを含む前記情報を時系列で示すチャット画面を表示する手段と、
ユーザが前記チャット画面に表示された前記オブジェクトを指示したことに応じて、前記チャット画面とは別の画面を表示させることなく、前記コンテンツを前記端末装置で再生する手段と、
を備える端末装置。
【請求項９】
端末装置であって、
他ユーザと送受信した情報であって、コンテンツを再生するためのオブジェクトを含む前記情報を時系列で示すチャット画面を表示する手段と、
ユーザが前記チャット画面に表示された前記オブジェクトを指示したことに応じて、前記オブジェクトの表示態様を変化させて、前記コンテンツを前記端末装置で再生する手段と、
を備える端末装置。
【請求項１０】
端末装置が、
他ユーザと送受信した情報であって、コンテンツを再生するためのオブジェクトを含む前記情報を時系列で示すチャット画面を表示するステップと、
ユーザが前記チャット画面に表示された前記オブジェクトを指示したことに応じて、前記チャット画面とは別の画面を表示させることなく、前記コンテンツを前記端末装置で再生するステップと、
を実行する端末装置の制御方法。
【請求項１１】
端末装置が、
他ユーザと送受信した情報であって、コンテンツを再生するためのオブジェクトを含む前記情報を時系列で示すチャット画面を表示するステップと、
ユーザが前記チャット画面に表示された前記オブジェクトを指示したことに応じて、前記オブジェクトの表示態様を変化させて、前記コンテンツを前記端末装置で再生するステップと、
を実行する端末装置の制御方法。
【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
ディスプレイを含む電子デバイスにおいて、
ユーザが前記電子デバイスを使用している間に、前記ユーザと関連付けられた車両へ前記ユーザが近づいていることを検出することと、
前記ユーザが前記車両へ近づいていることを検出したのに応じて、前記ディスプレイ上に、前記車両をアンロックするための第１のアイコンを表示することと、
前記第１のアイコンを介した前記車両のアンロックの後に、前記電子デバイスの前記ディスプレイ上に、以前に前記ユーザが前記車両を使用している間に前記車両内で前記ユーザが繰り返し取った行動に対応する第２のアイコンを表示することと、
を含む、方法。
【請求項２】
前記第１のアイコンを表示している間に、入力を検出することと、
前記入力の検出に応じて、前記車両をアンロックする処理を開始することと
を更に含む請求項１に記載の方法。
【請求項３】
前記入力は前記第１のアイコンを対象とするものである、請求項２に記載の方法。
【請求項４】
前記車両をアンロックする前記処理を開始することは、前記車両をアンロックすることを含む、請求項２または３に記載の方法。
【請求項５】
前記車両をアンロックする前記処理を開始することは、前記車両をアンロックする前記処理を実行するためのアプリケーションを起動することを含む、請求項２から４のいずれか１項に記載の方法。
【請求項６】
前記第１のアイコンを表示する以前に、前記電子デバイスの前記ディスプレイ上に複数のアイコンを表示することであって、前記複数のアイコンは前記第１のアイコンを含まない、表示することを更に含み、
前記第１のアイコンを表示することは、表示された前記複数のアイコンを前記第１のアイコンを含むように更新することを含む、請求項１から５のいずれか１項に記載の方法。
【請求項７】
前記複数のアイコンは、該複数のアイコンがそれぞれ関連性を有すると判定されたことに応じて、より多くの表示に利用可能な複数のアイコンの中から選択される、請求項６に記載の方法。
【請求項８】
前記より多くの表示に利用可能な複数のアイコンは、前記第１のアイコンを含む、請求項７に記載の方法。
【請求項９】
表示された前記複数のアイコンは、前記車両をアンロックするためのアプリケーションの関連性が増加したとの判定に応じて、前記第１のアイコンを含むように更新される、請求項６から８のいずれか１項に記載の方法。
【請求項１０】
前記表示された複数のアイコンを前記第１のアイコンを含むように更新することは、前記複数のアイコンの個別の１つの表示を前記第１のアイコンにより置き換えることを含む、請求項６から９のいずれか１項に記載の方法。
【請求項１１】
前記電子デバイスの位置及び前記車両の位置を利用して前記第１のアイコンの関連性を判定することを更に含む、請求項１から１０のいずれか１項に記載の方法。
【請求項１２】
前記電子デバイスの前記位置と前記車両の前記位置との間の距離が減少すると、前記第１のアイコンの前記関連性が増加する、請求項１１に記載の方法。
【請求項１３】
前記第１のアイコンの前記関連性は、前記車両の識別情報を用いて判定される、請求項１１または１２に記載の方法。
【請求項１４】
前記第１のアイコンの前記関連性は、関連性アルゴリズムを用いて判定される、請求項１１から１３のいずれか１項に記載の方法。
【請求項１５】
前記ユーザが前記車両に近づいていることを検出したのに応じて、前記第１のアイコンの増加した関連性を判定することを更に含む、請求項１から１４のいずれか１項に記載の方法。
【請求項１６】
前記第１のアイコンの関連性が増加したとの判定に応じて、前記第１のアイコンの表示サイズを増加させることを更に含む請求項１５に記載の方法。
【請求項１７】
前記第１のアイコンは前記車両をアンロックする第１のアプリケーションと関連付けられており、前記第２のアイコンは前記第１のアプリケーションとは異なる第２のアプリケーションと関連付けられている、請求項１から１６のいずれか１項に記載の方法。
【請求項１８】
前記電子デバイスはウェアラブルデバイスである、請求項１から１７のいずれか１項に記載の方法。
【請求項１９】
前記第１のアイコンは、前記電子デバイスの動きに基づく動きセンサからの入力を検出することに応じて表示される、請求項１から１８のいずれか１項に記載の方法。
【請求項２０】
コンピュータに請求項１から１９のいずれか１項に記載の方法を実行させるためのコンピュータプログラム。
【請求項２１】
請求項２０に記載のコンピュータプログラムを記憶したメモリと、
前記メモリに格納された前記コンピュータプログラムを実行可能な１つ以上のプロセッサと
を備える電子デバイス。
【請求項２２】
請求項１から１９のいずれか１項に記載の方法を実行するための手段を備える電子デバイス。
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
撮像画像を取得する取得手段と、
前記撮像画像から所定の被写体に対応する被写体領域を抽出する抽出手段と、
複数の背景画像の各々と前記撮像画像との類似度に基づいて、前記複数の背景画像の中から処理に用いる背景画像を選択する選択手段と、
前記選択手段により選択した背景画像について、前記抽出手段により抽出した被写体領域を抽象化する処理を実施する処理手段と
を有することを特徴とする画像処理装置。
【請求項２】
前記処理手段は、
マスク画像を合成するマスク領域を抽出する抽出手段と、
前記マスク領域のマスク画像と前記選択された背景画像とから保護画像を生成する生成手段と
を有することを特徴とする請求項１記載の画像処理装置。
【請求項３】
前記選択手段は、前記複数の背景画像から、前記画像の物体領域情報に基づく類似度に基づいて背景画像を選択することを特徴とする請求項１記載の画像処理装置。
【請求項４】
前記画像の物体領域情報を取得する第１の取得手段を更に有し、
前記選択手段は、前記複数の背景画像から、前記画像の物体領域情報に基づく類似度に基づいて背景画像を選択することを特徴とする請求項３記載の画像処理装置。
【請求項５】
前記選択手段は、前記複数の背景画像から、前記画像の撮影状況に基づく類似度に基づいて、背景画像を選択することを特徴とする請求項１記載の画像処理装置。
【請求項６】
前記画像の撮影状況を取得する第２の取得手段を更に有し、
前記選択手段は、前記複数の背景画像から、前記画像の撮影状況に基づく類似度に基づいて背景画像を選択することを特徴とする請求項５記載の画像処理装置。
【請求項７】
前記選択手段は、前記複数の背景画像から、前記画像の撮影状況と前記画像を撮像する撮像部のセンサ情報とに基づく類似度に基づいて、背景画像を選択することを特徴とする請求項１記載の画像処理装置。
【請求項８】
前記画像の撮影状況を取得する第２の取得手段と、
前記撮像部のセンサ情報を取得する第３の取得手段と、
を更に有し、
前記選択手段は、前記複数の背景画像から、前記画像の撮影状況と前記センサ情報とに基づく、類似度に基づいて、背景画像を選択することを特徴とする請求項７記載の画像処理装置。
【請求項９】
前記保護画像を出力する出力手段を更に有することを特徴とする請求項２記載の画像処理装置。
【請求項１０】
撮像画像を取得する取得ステップと、
前記撮像画像から所定の被写体に対応する被写体領域を抽出する抽出ステップと、
複数の背景画像の各々と前記撮像画像との類似度に基づいて、前記複数の背景画像の中から処理に用いる背景画像を選択する選択ステップと、
前記選択ステップにおいて選択した背景画像について、前記抽出ステップにおいて抽出した被写体領域を抽象化する処理を実施する処理ステップと
を有することを特徴とする画像処理方法。
【請求項１１】
コンピュータを、
撮像画像を取得する取得手段と、
前記撮像画像から所定の被写体に対応する被写体領域を抽出する抽出手段と、
複数の背景画像の各々と前記撮像画像との類似度に基づいて、前記複数の背景画像の中から処理に用いる背景画像を選択する選択手段と、
前記選択手段により選択した背景画像について、前記抽出手段により抽出した被写体領域を抽象化する処理を実施する処理手段と
して機能させることを特徴とするプログラム。
【手続補正２】
【補正対象書類名】明細書
【補正対象項目名】０００５
【補正方法】変更
【補正の内容】
【０００５】
本発明の画像処理装置は、撮像画像を取得する取得手段と、前記撮像画像から所定の被写体に対応する被写体領域を抽出する抽出手段と、複数の背景画像の各々と前記撮像画像との類似度に基づいて、前記複数の背景画像の中から処理に用いる背景画像を選択する選択手段と、前記選択手段により選択した背景画像について、前記抽出手段により抽出した被写体領域を抽象化する処理を実施する処理手段とを有することを特徴とする。
【手続補正書】
【提出日】令和1年11月22日(2019.11.22)
【手続補正１】
【補正対象書類名】明細書
【補正対象項目名】０１０９
【補正方法】変更
【補正の内容】
【０１０９】
また、右間引き画像抽出部（205）には、右間引画素決定・抽出部（225）とオフセット加算部（219）とを備える。
【手続補正２】
【補正対象書類名】明細書
【補正対象項目名】０１１６
【補正方法】変更
【補正の内容】
【０１１６】
オフセット加算部（106）は、通常、左右間引き画像抽出部（104,105）のうち、いずれかに実装すれば足りる。この点、表示情報生成部に概ねそのまま引渡すのとは異なる側の間引き画像抽出部に実装するのが望ましい。ディスプレイでは可能な限り原画のまま表示されるようにすることが求められるからである。また、主として左右カメラを撮像した原画のうち主とした表示させたい範囲、撮像系の加工精度その他の理由も、配慮要素となる。
【手続補正３】
【補正対象書類名】明細書
【補正対象項目名】０１４６
【補正方法】変更
【補正の内容】
【０１４６】
（２．６．  表示情報生成部）
表示情報生成部（221）は、ＤＰマッチング処理部で得られた奥行き推定情報と左の動画情報とに基づいてレンチキュラーレンズ型のディスプレイ（222）に表示可能なフォーマットに整える。具体的には、左フレーム・メモリの内容と奥行き推定情報とから、２Ｄ映像（230）とデプスマップ映像（229）とに変換して出力するようになっている。
【手続補正４】
【補正対象書類名】明細書
【補正対象項目名】０１５０
【補正方法】変更
【補正の内容】
【０１５０】
一方、フレーム・メモリに記録された情報は、左間引画素決定・抽出部（224）、右間引画素決定・抽出部（225）で間引処理がされる。この際、右フレーム・メモリに記録された動画情報は、右オフセット加算部（219）によってオフセットが加算されているので、ＤＰマッチング処理部で逆進探をする必要がない位置の読出しがされる。
そして読み出された間引後画像に基づいてＤＰマッチング処理により奥行きが推定される。
【手続補正５】
【補正対象書類名】明細書
【補正対象項目名】０１７１
【補正方法】変更
【補正の内容】
【０１７１】
しかし、左右上下でアライメントがずれた撮像系でこれを撮像すると（ｃ）のような像となる。すなわち本来の像（551）ではなく、注視するオブジェクト付近は概ねカメラのアライメントズレである横ズレ（553）、縦ズレ（554）が反映された像（552）となる。そこで、オフセット決定部で、縦ズレを補正する方向で、縦方向のアライメントを採るわけである。
【手続補正６】
【補正対象書類名】明細書
【補正対象項目名】０１７３
【補正方法】変更
【補正の内容】
【０１７３】
オフセット決定部（443）における横方向のオフセット定数は正のみ、縦方向は正負いずれの値も採るとしたのはこのような理由からである。
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
基板処理システムのためのペデスタルであって、
基板対向面を含むペデスタル本体と、
前記基板対向面の上に配置され、基板の半径方向外側縁部を支持するように構成された環状バンドと、
前記ペデスタル本体の前記基板対向面に規定され、前記環状バンドの半径方向内側に配置された空洞であって、前記空洞は、前記基板の底面と前記ペデスタル本体の前記基板対向面との間に空間を形成する、空洞と、
前記ペデスタル本体を貫通して前記空洞と流体連通することで、処理中に前記基板の両面における圧力を均一にする複数のベントと、
を備える、ペデスタル。
【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
アレイ（２２）の中の複数のソーラーセル（１４）を電気的に相互接続するための、スイッチングマトリックス（７６）を有する電力ルーティングモジュール（３０）
を備え、前記スイッチングマトリックス（７６）が、前記電力ルーティングモジュール（３０）と前記複数のソーラーセル（１４）との間で接続された複数の電流経路の間で電力のルートを動的に定めるように構成され、
前記ソーラーセル（１４）のうちの少なくとも１つが、コーナー領域（２６）を形成することになる少なくとも１つの刈り込まれたコーナー部（２４）を有し、
前記コーナー領域（２６）の中の基板（１２）のエリア（２８）は、前記ソーラーセル（１４）が前記基板（１２）に取り付けられるとき、露出したままであり、
前記スイッチングマトリックス（７６）を有する前記電力ルーティングモジュール（３０）が、露出したままである前記コーナー領域（２６）の中の前記基板の前記エリア（２８）において前記基板（１２）に取り付けられる、ソーラーセルアレイのための装置。
【請求項２】
前記スイッチングマトリックス（７６）が、前記電力ルーティングモジュール（３０）と一又は複数のバイパスダイオード（４４）との間で接続された複数の電流経路の間で電力のルートを動的に定めるように構成される、請求項１に記載の装置。
【請求項３】
前記スイッチングマトリックス（７６）が、前記電力ルーティングモジュール（３０）と一又は複数のＶ＋線、Ｖ−線又は埋め込み線との間で接続された複数の電流経路の間で電力のルートを動的に定めるように構成される、請求項１又は２に記載の装置。
【請求項４】
前記スイッチングマトリックス（７６）が、一又は複数の制御信号に応じて電力のルートを動的に定めるように構成される、請求項１から３の何れか一項に記載の装置。
【請求項５】
前記制御信号が、遠隔源からの無線制御信号である、請求項４に記載の装置。
【請求項６】
前記スイッチングマトリックス（７６）は、内部で、選択された入力経路における電流が選択された出力経路に接続される、空間分割回路スイッチである、請求項１から５の何れか一項に記載の装置。
【請求項７】
前記スイッチングマトリックス（７６）は、各々が、制御信号に従って、前記選択された入力経路を前記選択された出力経路に接続する、一又は複数の接続ブロックから成る、請求項６に記載の装置。
【請求項８】
前記スイッチングマトリックス（７６）が、固有にアドレス指定される、請求項１から７の何れか一項に記載の装置。
【請求項９】
前記スイッチングマトリックス（７６）内の各接続ブロックが、固有にアドレス指定される、請求項８に記載の装置。
【請求項１０】
各接続ブロック内の選択された入力経路及び出力経路が、固有にアドレス指定される、請求項９に記載の装置。
【請求項１１】
アレイ（２２）の中の複数のソーラーセル（１４）を電気的に相互接続するための、スイッチングマトリックス（７６）を有する電力ルーティングモジュール（３０）を製造すること
を含み、前記スイッチングマトリックス（７６）が、前記電力ルーティングモジュール（３０）と前記複数のソーラーセル（１４）との間で接続された複数の電流経路の間で電力のルートを動的に定めるように構成され、
前記ソーラーセル（１４）のうちの少なくとも１つが、コーナー領域（２６）を形成することになる少なくとも１つの刈り込まれたコーナー部（２４）を有し、
前記コーナー領域（２４）の中の基板（１２）のエリアは、前記ソーラーセル（１４）が前記基板（１２）に取り付けられるとき、露出したままであり、
前記スイッチングマトリックス（７６）を有する前記電力ルーティングモジュール（３０）が、露出したままである前記コーナー領域（２６）の中の前記基板の前記エリア（２８）において前記基板（１２）に取り付けられる、方法。
【請求項１２】
前記スイッチングマトリックス（７６）が、前記電力ルーティングモジュール（３０）と一又は複数のバイパスダイオード（４４）との間で接続された複数の電流経路の間で電力のルートを動的に定めるように構成される、請求項１１に記載の方法。
【請求項１３】
前記スイッチングマトリックス（７６）が、前記電力ルーティングモジュール（３０）と一又は複数の電力又は埋め込み線との間で接続された複数の電流経路の間で電力のルートを動的に定めるように構成される、請求項１１又は１２に記載の方法。
【請求項１４】
前記スイッチングマトリックス（７６）が、制御信号に応じて電力のルートを動的に定めるように構成される、請求項１１から１３の何れか一項に記載の方法。
【請求項１５】
前記制御信号が、遠隔源からの無線制御信号である、請求項１４に記載の方法。
【請求項１６】
前記スイッチングマトリックス（７６）は、内部で、選択された入力経路における電力が選択された出力経路に接続される、空間分割回路スイッチである、請求項１１から１５の何れか一項に記載の方法。
【請求項１７】
前記スイッチングマトリックス（７６）は、各々が、制御信号に従って、前記選択された入力経路を前記選択された出力経路に接続する、一又は複数の接続ブロックから成る、請求項１６に記載の方法。
【請求項１８】
前記スイッチングマトリックス（７６）が、固有にアドレス指定される、請求項１１から１７の何れか一項に記載の方法。
【請求項１９】
前記スイッチングマトリックス内の各接続ブロックが、固有にアドレス指定される、請求項１８に記載の方法。
【請求項２０】
アレイの中の複数のソーラーセルを電気的に相互接続するための、スイッチングマトリックスを有する少なくとも１つの電力ルーティングモジュールから成るソーラーセルアレイを備え、前記スイッチングマトリックスが、前記電力ルーティングモジュールと前記複数のソーラーセルとの間で接続された複数の電流経路の間で電力のルートを動的に定めるように構成され、
前記ソーラーセルのうちの少なくとも１つは、コーナー領域を形成することになる少なくとも１つの刈り込まれたコーナー部を有し、
前記コーナー領域の中の基板のエリアは、前記ソーラーセルが前記基板に取り付けられるとき、露出したままであり、
前記スイッチングマトリックスを有する前記電力ルーティングモジュールが、露出したままである前記コーナー領域の中の前記基板の前記エリアにおいて前記基板に取り付けられる、ソーラーセルパネル。
【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
表面上に一又は複数の格子（３６）を有するソーラーセル（１４）であって、前記ソーラーセル（１４）の複数の側面の周囲に位置する複数の場所において前記格子（３６）との電気的接続がなされる、ソーラーセル（１４）を備える、デバイス。
【請求項２】
前記電気的接続が基板（１２）上の導体（７４ａ）、（７６ｂ）に接続される、請求項１に記載のデバイス。
【請求項３】
前記基板（１２）上の前記導体（７４ａ）、（７６ｂ）が、前記ソーラーセル（１４）の、隣に直列接続されているソーラーセル（１４）またはストリング終端導体との前面接点（３２）の間または背面接点（３４）の間に、電流を供給する、請求項２に記載のデバイス。
【請求項４】
前記導体（７４ａ）、（７６ｂ）が前記ソーラーセル（１２）の下に配置される、請求項２に記載のデバイス。
【請求項５】
前記導体（７４ａ）、（７６ｂ）がループを含む、請求項４に記載のデバイス。
【請求項６】
前記ソーラーセル（１４）の下に配置された前記導体（７４ａ）、（７６ｂ）のうちの少なくとも１つが、弧状部分によって接続された２つの実質的に直線状の部分を有し、前記直線状の部分は互いに実質的に平行である、請求項４に記載のデバイス。
【請求項７】
前記ソーラーセル（１４）の下に配置された前記導体（７４ａ）、（７６ｂ）が、電流が流れる方向に平行である、請求項４に記載のデバイス。
【請求項８】
前記電気的接続が、一又は複数の他のソーラーセル（１４）との直列接続（４８）、（５０）を含む、請求項１に記載のデバイス。
【請求項９】
前記電気的接続が、一又は複数の出力導電線とのストリング終端接続を含む、請求項１に記載のデバイス。
【請求項１０】
前記複数の場所が少なくとも３つの場所を含む、請求項１に記載のデバイス。
【請求項１１】
前記ソーラーセル（１４）の下に配置された導体（７４ａ）、（７６ｂ）が、前記少なくとも３つの場所に電流を供給する、請求項１０に記載のデバイス。
【請求項１２】
前記ソーラーセル（１４）がフルソーラーセルを含む、請求項１に記載のデバイス。
【請求項１３】
前記フルソーラーセルが４つの刈り込まれたコーナー部（２４）を有し、電流が前記刈り込まれたコーナー部（２４）内の前記電気的接続に供給される、請求項１２に記載のデバイス。
【請求項１４】
前記ソーラーセル（１４）間に複数の直列接続が存在する、請求項１に記載のデバイス。
【請求項１５】
前記直列接続のうちの一又は複数に沿って配置された、バイパスダイオード（４４）が存在する、請求項１４に記載のデバイス。
【請求項１６】
表面上に一又は複数の格子（３６）を有するソーラーセル（１４）であって、前記ソーラーセル（１４）の複数の側面の周囲に位置する複数の場所において前記格子（３６）との電気的接続がなされる、ソーラーセル（１４）を製造することを含む、方法。
【請求項１７】
前記電気的接続が基板（１２）上の導体（７４ａ）、（７６ｂ）に接続される、請求項１６に記載の方法。
【請求項１８】
前記基板上の前記導体（７４ａ）、（７６ｂ）が、前記ソーラーセル（１４）の、隣に直列接続されているソーラーセルまたはストリング終端導体との前面接点（３２）の間または後面接点（３４）の間に、電流を供給する、請求項１７に記載の方法。
【請求項１９】
前記導体（７４ａ）、（７６ｂ）が前記ソーラーセルの下に配置される、請求項１７に記載の方法。
【請求項２０】
前記導体（７４ａ）、（７６ｂ）がループを含む、請求項１９に記載の方法。
【請求項２１】
前記ソーラーセル（１４）の下に配置された前記導体（７４ａ）、（７６ｂ）のうちの少なくとも１つが、弧状部分によって接続された２つの実質的に直線状の部分を有し、前記直線状の部分は互いに実質的に平行である、請求項１９に記載の方法。
【請求項２２】
前記ソーラーセル（１４）の下に配置された前記導体（７４ａ）、（７６ｂ）が、電流が流れる方向に平行である、請求項１９に記載の方法。
【請求項２３】
表面上に一又は複数の格子（３６）を有する少なくとも１つのソーラーセル（１４）であって、前記ソーラーセル（１４）の複数の側面の周囲に位置する複数の場所において前記格子（３６）との電気的接続がなされる、少なくとも１つの前記ソーラーセル（１４）からなるソーラーセル（１４）アレイ（２２）を備える、ソーラーセルパネル。
【請求項２４】
前記電気的接続が基板（１２）上の導体（７４ａ）、（７６ｂ）に接続される、請求項２３に記載のソーラーセルパネル。
【請求項２５】
前記基板上の前記導体（７４ａ）、（７６ｂ）が、前記ソーラーセル（１４）の、隣に直列接続されているソーラーセルまたはストリング終端導体との前面接点（３２）の間または後面接点（３４）の間に、電流を供給する、請求項２４に記載のソーラーセルパネル。
【請求項２６】
前記導体（７４ａ）、（７６ｂ）が前記ソーラーセル（１４）の下に配置される、請求項２４に記載のソーラーセルパネル。
【請求項２７】
前記導体（７４ａ）、（７６ｂ）がループを含む、請求項２６に記載のソーラーセルパネル。
【請求項２８】
前記ソーラーセル（１４）の下に配置された前記導体（７４ａ）、（７６ｂ）のうちの少なくとも１つが、弧状部分によって接続された２つの実質的に直線状の部分を有し、前記直線状の部分は互いに実質的に平行である、請求項２６に記載のソーラーセルパネル。
【請求項２９】
前記ソーラーセル（１４）の下に配置された前記導体（７４ａ）、（７６ｂ）が、電流が流れる方向に平行である、請求項２６に記載のソーラーセルパネル。
【請求項３０】
前記電気的接続が、一又は複数の他のソーラーセル（１４）との直列接続を含む、請求項２３に記載のソーラーセルパネル。
【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
抽選対象となるコンテンツが複数設定された抽選情報、及び、ユーザが所持できるコンテンツの上限数が設定されたユーザ情報を記憶する記憶手段と、
ユーザの操作に応じて、前記上限数を引き上げると共に、抽選されたコンテンツを付与するゲーム実行手段と、
を備える情報処理装置。
【請求項２】
前記ユーザ情報には、ユーザの所持ポイントが設定されており、
前記ゲーム実行手段は、ユーザの操作に応じて、前記上限数の引き上げに対するポイント量と前記コンテンツの付与に対するポイント量を合算したポイント量よりも少ないポイント量を、前記ユーザの所持ポイントから消費させることにより、前記上限数を引き上げると共に、抽選されたコンテンツを付与する、
請求項１に記載の情報処理装置。
【請求項３】
抽選対象となるコンテンツが複数設定された抽選情報、及び、ユーザが所持できるコンテンツの上限数が設定されたユーザ情報を記憶する記憶手段と、
ユーザの操作に応じて、前記上限数を引き上げると共に、連続で抽選された複数コンテンツを付与するゲーム実行手段と、
を備える情報処理装置。
【請求項４】
前記ユーザ情報には、ユーザの所持ポイントが設定されており、
前記ゲーム実行手段は、ユーザの操作に応じて、前記上限数の引き上げに対するポイント量と前記複数コンテンツの連続付与に対するポイント量を合算したポイント量よりも少ないポイント量を、前記ユーザの所持ポイントから消費させることにより、前記上限数を引き上げると共に、連続で抽選された複数コンテンツを付与する、
請求項３に記載の情報処理装置。
【請求項５】
コンピューターを、
抽選対象となるコンテンツが複数設定された抽選情報、及び、ユーザが所持できるコンテンツの上限数が設定されたユーザ情報を記憶する記憶手段、
ユーザの操作に応じて、前記上限数を引き上げると共に、抽選されたコンテンツを付与するゲーム実行手段、
として機能させるためのプログラム。
【請求項６】
コンピューターを、
抽選対象となるコンテンツが複数設定された抽選情報、及び、ユーザが所持できるコンテンツの上限数が設定されたユーザ情報を記憶する記憶手段、
ユーザの操作に応じて、前記上限数を引き上げると共に、連続で抽選された複数コンテンツを付与するゲーム実行手段、
として機能させるためのプログラム。